(57)【要約】【課題】ノズルをシリンダから突出させたり、シリンダ内に収容したりする動作をよりスムーズにできる局部洗浄装置を提供する。【解決手段】局部洗浄装置１は、洗浄水が内部に供給されるシリンダ９０と、シリンダ９０内に摺動可能に設けられ、洗浄水の水圧によってシリンダ９０から突出するノズル８０と、ノズル８０の外周に巻かれた状態で、シリンダ９０の先端側に位置する内フランジ９１とノズル８０の後端側に位置する外フランジ８１との間に設けられ、ノズル８０をシリンダ９０内に引き込む付勢力をもつコイルバネ１０とを備える。  この局部洗浄装置１において、コイルバネ１０は、内フランジ９１側が内フランジ側端部１１ａに向かって略円錐状に広がる内フランジ側拡径部１１とされ、外フランジ８１側が外フランジ側端部１２ａに向かって略円錐状に広がる外フランジ側拡径部１２とされている。【選択図】図１
2007303085.tif 000002
【特許請求の範囲】
【請求項１】
洗浄水が内部に供給されるシリンダと、該シリンダ内に摺動可能に設けられ、該洗浄水の水圧によって該シリンダから突出するノズルと、該ノズルの外周に巻かれた状態で、該シリンダの先端側に位置する内フランジと該ノズルの後端側に位置する外フランジとの間に設けられ、該ノズルを該シリンダ内に引き込む付勢力をもつコイルバネとを備えた局部洗浄装置において、
前記コイルバネは、前記内フランジ側及び前記外フランジ側の少なくとも一方が端部に向かって略円錐状に広がる拡径部とされていることを特徴とする局部洗浄装置。
【請求項２】
前記コイルバネは、前記内フランジ側及び前記外フランジ側が前記拡径部とされている請求項１記載の局部洗浄装置。
【請求項３】
前記内フランジ側の前記拡径部及び前記外フランジ側の該拡径部は同一形状である請求項２記載の局部洗浄装置。
【請求項４】
前記コイルバネは、両前記拡径部間に円筒状の円筒部を有さない請求項２又は３記載の局部洗浄装置。
【請求項５】
前記コイルバネは、前記内フランジ側が前記拡径部とされている請求項１記載の局部洗浄装置。
【発明の詳細な説明】
【技術分野】
【０００１】
本発明は局部洗浄装置に関する。
【背景技術】
【０００２】
従来、図６及び図７に模式断面図を示すような局部洗浄装置１００が知られている（例えば、特許文献１、２）。この局部洗浄装置１００は、洗浄水が内部に供給されるシリンダ９０と、シリンダ９０内に摺動可能に設けられ、洗浄水の水圧によってシリンダ９０から突出するノズル８０と、ノズル８０の外周に巻かれた状態で、シリンダ９０の先端側に位置する内フランジ９１とノズル８０の後端側に位置する外フランジ８１との間に設けられ、ノズル８０をシリンダ９０内に引き込む付勢力をもつコイルバネ７０とを備える。
【０００３】
より詳しくは、シリンダ９０は、後端側（図６及び図７中、右上方をいう。以下、同じ。）から先端側（図６及び図７中、左下方をいう。以下、同じ。）に向かって、洗浄水供給配管（図示しない）が接続される接続部９４と、ノズル８０の外フランジ８１が収容される第１円筒部９３と、第１円筒部９３の先端側に形成され、第１円筒部９３よりも小径の第２円筒部９２と、第２円筒部９２の先端側の周縁に位置する内フランジ９１とにより構成されている。第１円筒部９３と第２円筒部９２との間には段部９５が形成され、内フランジ９１の中央にはノズル８０を挿通させる開口９１ａが形成されている。
【０００４】
ノズル８０の外フランジ８１の外周側は、シリンダ９０の第１円筒部９３の内筒面に摺動可能な状態で当接しており、図７に示すように、接続部９４と第１円筒部９３と外フランジ８１とでシリンダ室９０ａが構成されている。
【０００５】
ノズル８０には、外フランジ８１の後端面中央と、ノズル８０の先端側上面に穿孔されたノズル孔８０ａとを連通させる洗浄水噴出経路８２が形成されている。
【０００６】
コイルバネ７０は、特許文献１、２にも図示されているように、自然状態において、同一の巻径で先端から後端まで巻かれた円筒状のものである。このコイルバネ７０は、その付勢力が洗浄水の水圧に対抗するものであり、地域や時期によって水圧が変動したとしても（０．０６〜０．４ＭＰａ）、ノズル８０がシリンダ９０内で安定して作動するようにされている。このため、コイルバネ７０は、線径が０．３〜０．５ｍｍ程度と非常に細くされている。また、コイルバネ７０は、自然長が３００〜３５０ｍｍ程度と非常に長くされている一方、図６に示すように、ノズル８０がシリンダ９０内に収容された状態での圧縮長が１１０〜１２０ｍｍ程度とされ、図７に示すように、ノズル８０がシリンダ９０から突出した状態での圧縮長が２０〜３０ｍｍ程度とされている。このように、線径が細く、かつ圧縮ストロークの長いコイルバネ７０は、洗浄水の水圧によりノズルがシリンダ９０から突出するのに伴って圧縮され、洗浄水の水圧がなくなるとノズル８０をシリンダ９０内に押し戻すことが可能となっている。
【０００７】
このような構成である従来の局部洗浄装置１００は、洋風水洗式便器に適用され、使用者が局部を洗浄する際、下記のように機能する。
【０００８】
まず、洗浄水供給配管（図示しない）から接続部９４を介してシリンダ９０の内部のシリンダ室９０ａに洗浄水の供給が開始されると、洗浄水の水圧によってノズル８０がシリンダ９０内を摺動し、内フランジ９１と外フランジ８１との間に設けられたコイルバネ７０が圧縮される。その結果、ノズル８０は、外フランジ８１が段部９５に当て止まってシリンダ９０から突出した状態となり、洗浄水噴出経路８２を介してノズル孔８０ａから局部に向けて洗浄水を噴出する。そして、局部の洗浄が終了して洗浄水の供給が止まると、ノズル８０を突出させていた洗浄水の水圧がなくなり、圧縮されたコイルバネ７０の復元力によって、ノズル８０がシリンダ９０内に収容される。こうして、この局部洗浄装置１００は、局部を洗浄することができる。
【０００９】
【特許文献１】実開昭６３−１８５８５号公報
【特許文献２】特開平６−３４３５７８号公報
【発明の開示】
【発明が解決しようとする課題】
【００１０】
しかし、上記従来の局部洗浄装置１００においては、ノズル８０をシリンダ９０から突出させたり、シリンダ９０内に収容したりする動作をよりスムーズにしたいとの要望がある。
【００１１】
本発明は、上記従来の実情に鑑みてなされたものであって、ノズルをシリンダから突出させたり、シリンダ内に収容したりする動作をよりスムーズにできる局部洗浄装置を提供することを解決すべき課題としている。
【課題を解決するための手段】
【００１２】
発明者らは、上記課題解決のために鋭意試験研究を実施し、課題の原因がコイルバネ７０にあることを究明して本発明を完成するに至った。
【００１３】
すなわち、コイルバネ７０は、図８（ａ）及び（ｂ）に示すように、線径が細く、かつ圧縮ストロークの長い円筒状のものである。このコイルバネ７０が圧縮されると、円筒状の円筒部において、複数個所で挫屈によるうねりＺが発生し、このうねりＺがノズル８０のスムーズな動作を妨げる。
【００１４】
より詳細には、図９に示すように、ノズル８０が突出する際、コイルバネ７０が圧縮されると、大きなうねりＺがシリンダ９０の第２円筒部９２の内筒面に接触する場合がある（図９に示すＹ部）。そして、うねりＺは、コイルバネ７０の中央部の影響が累積的にコイルバネ７０の両端側に及ぶことから、コイルバネ７０の両端側で顕著である。そして、この場合には、コイルバネ７０と第２円筒部９２の内筒面との間で摺動抵抗が生じ、ノズル８０のスムーズな動作が妨げられる。図９はノズル８０の先端側を示すが、ノズル８０の後端側も同様である。
【００１５】
また、図１０に示すように、うねりＺが大きくなり過ぎ、コイルバネ７０の巻きの一部が隣接する巻きを乗り越えてしまう場合もある（図１０に示すＸ部）。この状態もコイルバネ７０の両端側で顕著である。そして、この場合には、コイルバネ７０と第２円筒部９２の内筒面との間だけでなく、コイルバネ７０とノズル８０の外周との間にも大きな摺動抵抗が生じ、ノズル８０が動作の途中で固着してしまう事態が生じ得る。図１０はノズル８０の先端側を示すが、ノズル８０の後端側も同様である。
【００１６】
発明者らは、上記の原因究明により、本発明をするに至った。
【００１７】
本発明の局部洗浄装置は、洗浄水が内部に供給されるシリンダと、該シリンダ内に摺動可能に設けられ、該洗浄水の水圧によって該シリンダから突出するノズルと、該ノズルの外周に巻かれた状態で、該シリンダの先端側に位置する内フランジと該ノズルの後端側に位置する外フランジとの間に設けられ、該ノズルを該シリンダ内に引き込む付勢力をもつコイルバネとを備えた局部洗浄装置において、
前記コイルバネは、前記内フランジ側及び前記外フランジ側の少なくとも一方が端部に向かって略円錐状に広がる拡径部とされていることを特徴とする。
【００１８】
このような構成である本発明の局部洗浄装置は、洋風水洗式便器に適用され、使用者が局部を洗浄する際、下記のように機能する。
【００１９】
まず、シリンダの内部に洗浄水の供給が開始されると、洗浄水の水圧によってノズルがシリンダ内を摺動し、内フランジと外フランジとの間に設けられたコイルバネが圧縮される。その結果、ノズルは、シリンダから突出した状態となり、ノズルの先端から局部に向けて洗浄水を噴出する。そして、局部の洗浄が終了して洗浄水の供給が止まると、ノズルを突出させていた洗浄水の水圧がなくなり、圧縮されたコイルバネの復元力によって、ノズルがシリンダ内に収容される。こうして、この局部洗浄装置は、局部を洗浄することができる。
【００２０】
この間、この局部洗浄装置では、内フランジ側及び外フランジ側の少なくとも一方が端部に向かって略円錐状に広がる拡径部とされたコイルバネを採用している。このため、コイルバネは、圧縮されても、拡径部とされている内フランジ側及び外フランジ側の少なくとも一方において、挫屈が抑制される。このため、コイルバネは、円筒状の円筒部において、圧縮時に複数個所で挫屈によるうねりが発生したとしても、先端から後端までの全長に渡って全体的にうねりが小さくなる。
【００２１】
このため、この局部洗浄装置では、従来の局部洗浄装置のように、うねりがシリンダの内部に接触したり、コイルバネの巻きの一部が隣接する巻きを乗り越えてしまったりするという事態が生じ難い。このため、コイルバネとシリンダの内部との間及び／又はコイルバネとノズルの外周との間で線接触による摺動抵抗が生じ難く、ノズルが安定して動作する。
【００２２】
したがって、本発明の局部洗浄装置は、ノズルをシリンダから突出させたり、シリンダ内に収容したりする動作をよりスムーズにできる。
【００２３】
本発明の局部洗浄装置において、前記コイルバネは、前記内フランジ側及び前記外フランジ側が前記拡径部とされることが好ましい。この場合、この局部洗浄装置は、内フランジ側及び外フランジ側の両方において、挫屈が抑制される。また、コイルバネは、円筒状の円筒部において、圧縮時にうねりが全長に渡って一層小さくなる。このため、この局部洗浄装置は、本発明の効果を確実に奏することができる。
【００２４】
端部に向かって略円錐状に広がる拡径部には、単なる幾何学的な円錐形状のものの他、円錐面が凸状又は凹状の曲面を形成している形状のものや、複数の円錐台からなる形状のものも含む。
【００２５】
本発明の局部洗浄装置において、前記内フランジ側の前記拡径部及び前記外フランジ側の該拡径部は同一形状であることが好ましい。この場合には、コイルバネを組み付ける際に、向きを考慮しなくてもよくなり、作業性の向上及び製造コストの低廉化を図ることができる。また、コイルバネの製造も簡易化され、コイルバネの製造コストの高騰化を回避することができる。
【００２６】
本発明の局部洗浄装置において、コイルバネは、両拡径部間に円筒状の円筒部を有していてもよい。また、本発明の局部洗浄装置において、前記コイルバネは、両前記拡径部間に円筒状の円筒部を有さないものであり得る。両拡径部間に円筒状の円筒部を有さないコイルバネを採用した場合、両拡径部がコイルバネの全長を占めることから、コイルバネは、先端から後端までの全長に渡って挫屈が抑制される。このため、この局部洗浄装置は、本発明の効果をより確実に奏することができる。
【００２７】
本発明の局部洗浄装置において、前記コイルバネは、前記内フランジ側が前記拡径部とされ得る。この場合、本発明の効果を奏することができることに加えて、コイルバネの内フランジ側の端部がノズルと内フランジとの隙間に入り込んでしまう事態を確実に防止できるので、ノズルのスムーズな動作が妨げられない。
【発明を実施するための最良の形態】
【００２８】
以下、本発明を具体化した実施例１、２を図面を参照しつつ説明する。
【実施例１】
【００２９】
まず、図６及び図７を用いて、実施例１の局部洗浄装置１の構成を説明する。図６及び図７は、従来の局部洗浄装置１００の構成を示すものであるが、実施例１の局部洗浄装置１も、コイル７０の代わりに図１及び図２に詳細を示すコイル１０を採用すること以外は、従来の局部洗浄装置１００と基本的に同じ構成である。
【００３０】
実施例１の局部洗浄装置１は、図６及び図７に示す従来の局部洗浄装置１００と同様に、洗浄水が内部に供給されるシリンダ９０と、シリンダ９０内に摺動可能に設けられ、洗浄水の水圧によってシリンダ９０から突出するノズル８０と、ノズル８０の外周に巻かれた状態で、シリンダ９０の先端側に位置する内フランジ９１とノズル８０の後端側に位置する外フランジ８１との間に設けられ、ノズル８０をシリンダ９０内に引き込む付勢力をもつコイルバネ１０とを備える。シリンダ９０及びノズル８０の構成についての詳細な説明は、従来の局部洗浄装置１００と同様であるので省略する。
【００３１】
コイルバネ１０は、図１（ａ）及び図２に示すように、自然状態において、内フランジ９１側（図１中、下側）が内フランジ側端部１１ａに向かって略円錐状に広がる内フランジ側拡径部１１とされ、外フランジ８１側（図１中、上側）が外フランジ側端部１２ａに向かって略円錐状に広がる外フランジ側拡径部１２とされている。また、コイルバネ１０は、内フランジ側拡径部１１と外フランジ側拡径部１２との間が同一の巻径で巻かれた円筒状の円筒部１３とされている。
【００３２】
このコイルバネ１０は、その付勢力が洗浄水の水圧に対抗するものであり、地域や時期によって水圧が変動したとしても（０．０６〜０．４ＭＰａ）、ノズル８０がシリンダ９０内で安定して作動するようにされている。このため、コイルバネ１０は、線径が０．３〜０．５ｍｍ程度と非常に細くされている。また、コイルバネ１０は、自然長が３００〜３５０ｍｍ程度と非常に長くされている一方、図６に示すように、ノズル８０がシリンダ９０内に収容された状態での圧縮長が１１０〜１２０ｍｍ程度とされ、図７に示すように、ノズル８０がシリンダ９０から突出した状態での圧縮長が２０〜３０ｍｍ程度とされている。このように、線径が細く、かつ圧縮ストロークの長いコイルバネ１０は、洗浄水の水圧によりノズルがシリンダ９０から突出するのに伴って圧縮され、洗浄水の水圧がなくなるとノズル８０をシリンダ９０内に押し戻すことが可能となっている。
【００３３】
このコイルバネ１０において、円筒部１３は、巻き径Ｄ１が約１３ｍｍとされている。そして、内フランジ側拡径部１１の内フランジ側端部１１ａは、巻き径Ｄ２が約１５ｍｍとされ、内フランジ側拡径部１１の長さは、コイルバネ１０の自然長の約１０〜２０％とされて、巻き径Ｄ１から巻き径Ｄ２まで直線的に拡径される円錐台状に形成されている。さらに、内フランジ側拡径部１１の端部１１ａには、一巻きの座巻きが形成されている。
【００３４】
他方、外フランジ側拡径部１２は、内フランジ側拡径部１１と同一形状（図２に示す内フランジ側拡径部１１の形状が、逆方向に向く形状）とされている。さらに、外フランジ側拡径部１２の端部１２ａにも、一巻きの座巻きが形成されている。
【００３５】
このような構成である実施例１の局部洗浄装置１は、洋風水洗式便器に適用され、使用者が局部を洗浄する際、下記のように機能する。
【００３６】
まず、図６に示す状態で、洗浄水供給配管（図示しない）から接続部９４を介してシリンダ９０の内部のシリンダ室９０ａに洗浄水の供給が開始されると、洗浄水の水圧によってノズル８０がシリンダ９０内を摺動し、内フランジ９１と外フランジ８１との間に設けられたコイルバネ１０が圧縮される。その結果、ノズル８０は、図７に示す状態となり、外フランジ８１が段部９５に当て止まってシリンダ９０から突出した状態となり、洗浄水噴出経路８２を介してノズル孔８０ａから局部に向けて洗浄水を噴出する。そして、局部の洗浄が終了して洗浄水の供給が止まると、ノズル８０を突出させていた洗浄水の水圧がなくなり、圧縮されたコイルバネ１０の復元力によって、ノズル８０がシリンダ９０内に収容され、図６に示す状態に戻る。こうして、この局部洗浄装置１は、局部を洗浄することができる。
【００３７】
この間、この局部洗浄装置１において、コイルバネ１０は、内フランジ９１側が内フランジ側端部１１ａに向かって略円錐状に広がる内フランジ側拡径部１１とされ、外フランジ８１側が外フランジ側端部１２ａに向かって略円錐状に広がる外フランジ側拡径部１２とされている。このため、コイルバネ１０は、図７に示すように、ノズル８０がシリンダ９０から突出した状態において、図１（ｂ）に示すように圧縮されても、内フランジ側拡径部１１及び外フランジ側拡径部１２において、挫屈が抑制されている。このため、コイルバネ１０は、円筒状の円筒部１３において、圧縮時に複数個所で挫屈によるうねりＳが発生しても、先端から後端までの全長に渡って全体的にうねりＳが小さくなっている。
【００３８】
このため、ノズル８０がシリンダ９０から突出した状態において、コイルバネ１０は、図３に拡大して示すように、シリンダ９０内で整然と圧縮される。このため、この局部洗浄装置１では、従来の局部洗浄装置のように、うねりがシリンダ９０の第２円筒部９２の内筒面に接触したり、コイルバネ１０の巻きの一部が隣接する巻きを乗り越えてしまったりするという事態が生じ難くなっている。このため、コイルバネ１０とシリンダ９０の第２円筒部９２の内筒面との間及び／又はコイルバネ１０とノズル８０の外周との間で摺動抵抗が生じ難く、ノズル８０が安定して動作する。
【００３９】
したがって、実施例１の局部洗浄装置１は、ノズル８０をシリンダ９０から突出させたり、シリンダ９０内に収容したりする動作をよりスムーズにできる。
【００４０】
また、この局部洗浄装置１において、コイルバネ１０は、内フランジ９１側及び外フランジ８１側の両方が内フランジ側拡径部１１及び外フランジ側拡径部１２とされていることから、どちらか一方だけが拡径部とされている場合に比べて、圧縮時に、挫屈が確実に抑制され、うねりＳが全長に渡って一層小さくなっている。このため、この局部洗浄装置１は、本発明の効果を確実に奏することができている。
【００４１】
さらに、この局部洗浄装置１において、内フランジ側拡径部１１及び外フランジ側拡径部１２は同一形状である。このため、コイルバネ１０を組み付ける際に、向きを考慮しなくてもよくなっており、作業性の向上及び製造コストの低廉化を図ることができている。また、コイルバネ１０の製造も簡易化され、コイルバネ１０の製造コストの高騰化を回避することができている。
【００４２】
また、この局部洗浄装置１において、コイルバネ１０が内フランジ側拡径部１１を有していることにより、コイルバネ１０の内フランジ側端部１１ａがノズル８０と内フランジ９１との隙間に入り込んでしまう事態も確実に防止できており、ノズル８０のスムーズな動作が妨げられなくなっている。
【００４３】
なお、図４に示すように、コイルバネ１０は、外フランジ側拡径部１２を有さず、内フランジ側拡径部１１及び円筒部１３とからなるものであってもよい。この場合には、外フランジ側拡径部１２を有しない分だけうねりＳが大きくなる傾向となるが、コイルバネ１０の内フランジ側端部１１ａがノズル８０と内フランジ９１との隙間に入り込んでしまう事態は、確実に防止できる。
【実施例２】
【００４４】
実施例２の局部洗浄装置は、実施例１の局部洗浄装置１におけるコイルバネ１０の代わりに、図５に示すコイルバネ２０を採用している。その他の構成は、実施例１の局部洗浄装置１と同様であるので、説明は省く。
【００４５】
コイルバネ２０は、円筒部がなく、内フランジ側拡径部２１及び外フランジ側拡径部２２からなる。内フランジ側拡径部２１及び外フランジ側拡径部２２の接続部分の巻き径Ｄ３は、実施例１のコイル１０の円筒部１３の巻き径Ｄ１と同一とされている。そして、内フランジ側拡径部２１の内フランジ側端部２１ａの巻き径Ｄ４は、実施例１のコイル１０の内フランジ側端部１１ａの巻き径Ｄ２と同一とされている。内フランジ側拡径部２１の長さは、コイルバネ１０の自然長の１／２とされて、巻き径Ｄ３から巻き径Ｄ４まで直線的に拡径される円錐台状に形成されている。他方、外フランジ側拡径部２２は、内フランジ側拡径部２１と同一形状（内フランジ側拡径部２１の形状が、逆方向に向く形状）とされている。なお、コイルバネ２０の形状以外の構成は、実施例１のコイルバネ１０と同様であるので、説明は省く。
【００４６】
このような形状のコイルバネ２０は、ノズル８０がシリンダ９０から突出することにより圧縮された場合でも、内フランジ側拡径部２１及び外フランジ側拡径部２２がコイルバネ２０の全長を占めることから、先端から後端までの全長に渡って挫屈が一層抑制されている。
【００４７】
このため、コイルバネ２０を採用する実施例２の局部洗浄装置は、実施例１の局部洗浄装置１と同様の作用効果をより確実に奏することができている。
【００４８】
以上において、本発明を実施例１、２に即して説明したが、本発明は上記実施例１、２に制限されるものではなく、その趣旨を逸脱しない範囲で適宜変更して適用できることはいうまでもない。
【産業上の利用可能性】
【００４９】
本発明は局部洗浄装置に利用可能である。
【図面の簡単な説明】
【００５０】
【図１】実施例１の局部洗浄装置に係り、（ａ）は自然状態のコイルバネを示す模式図であり、（ｂ）は圧縮状態のコイルバネを示す模式図である。
【図２】実施例１の局部洗浄装置に係り、自然状態のコイルバネの内フランジ側拡径部を示す要部拡大模式図である。
【図３】実施例１の局部洗浄装置に係り、ノズルがシリンダから突出した状態を示す要部拡大断面図である。
【図４】実施例１の局部洗浄装置に係り、コイルバネの変形例を示す模式図である。
【図５】実施例２の局部洗浄装置に係り、事前状態のコイルバネを示す模式図である。
【図６】実施例１の局部洗浄装置及び従来の局部洗浄装置の模式断面図である（ノズルがシリンダ内に収容された状態）。
【図７】実施例１の局部洗浄装置及び従来の局部洗浄装置の模式断面図である（ノズルがシリンダから突出した状態）。
【図８】従来の局部洗浄装置に係り、（ａ）は自然状態のコイルバネを示す模式図であり、（ｂ）は圧縮状態のコイルバネを示す模式図である。
【図９】従来の局部洗浄装置に係り、ノズルがシリンダから突出した状態を示す要部拡大断面図である。
【図１０】従来の局部洗浄装置に係り、ノズルがシリンダから突出した状態を示す要部拡大断面図である。
【符号の説明】
【００５１】
１、１００…局部洗浄装置
１０、２０、７０…コイルバネ
１１、２１…内フランジ側拡径部
１１ａ、２１ａ…内フランジ側端部
１２、２２…外フランジ側拡径部
１２ａ、２２ａ…外フランジ側端部
１３…円筒部
８０…ノズル
８１…外フランジ
９０…シリンダ
９１…内フランジ
【図１】
2007303085.tif 000003
【図２】
2007303085.tif 000004
【図３】
2007303085.tif 000005
【図４】
2007303085.tif 000006
【図５】
2007303085.tif 000007
【図６】
2007303085.tif 000008
【図７】
2007303085.tif 000009
【図８】
2007303085.tif 000010
【図９】
2007303085.tif 000011
【図１０】
2007303085.tif 000012